(57)【要約】【課題】輻射を低減することができるとともに、他のケーブルの運用を停止することなく探索対象ケーブルの配線ルートを探索することができるケーブル探索方法およびケーブル探索装置を提供する。【解決手段】探索対象ケーブル１と音声信号の送信および／または受信のために現在使用されている運用中ケーブル２との間に信号発生装置１０を接続し、音声信号と混信しない探索用信号を探索対象ケーブル１と運用中ケーブル２との間に印加して探索用電流を探索対象ケーブル１に流し、探索対象ケーブル１を流れる探索用電流によって発生される磁界を磁界検出装置２０で検出していくことにより探索対象ケーブル１の配線ルートを探す。【選択図】図１
2008076128.tif 000002
【特許請求の範囲】
【請求項１】
探索対象ケーブル（１）に探索用電流を流すことにより該探索対象ケーブルから発生される磁界を検出して該探索対象ケーブルの配線ルートを探していくためのケーブル探索方法であって、
前記探索対象ケーブルと運用対象信号の送信および／または受信のために現在使用されている運用中ケーブル（２）との間に信号発生装置（１０）を接続し、該運用対象信号と混信しない探索用信号を該探索対象ケーブルと該運用中ケーブルとの間に印加して前記探索用電流を該探索対象ケーブルに流し、
前記探索対象ケーブルを流れる前記探索用電流によって発生される磁界を磁界検出装置（２０）で検出していくことにより該探索対象ケーブルの配線ルートを探す、
ことを特徴とする、ケーブル探索方法。
【請求項２】
前記探索用信号が、前記運用対象信号に含まれていない周波数の単一正弦波信号であることを特徴とする、請求項１記載のケーブル探索方法。
【請求項３】
前記探索用信号が、前記運用対象信号に含まれていない周波数の正弦波信号を複数合成した合成波信号であることを特徴とする、請求項１記載のケーブル探索方法。
【請求項４】
前記探索用信号が、前記運用対象信号に含まれていない周波数を主周波数成分とするパルス信号であることを特徴とする、請求項１記載のケーブル探索方法。
【請求項５】
前記探索用信号が、前記運用対象信号に含まれていない周波数をそれぞれ主周波数成分とする、かつ、符号で変調された複数の正弦波信号であることを特徴とする、請求項１記載のケーブル探索方法。
【請求項６】
前記探索対象ケーブルおよび前記運用中ケーブルが通信ケーブルであり、
前記運用対象信号が音声信号である、
ことを特徴とする、請求項１乃至５いずれかに記載のケーブル探索方法。
【請求項７】
探索対象ケーブル（１）に探索用電流を流すことにより該探索対象ケーブルから発生される磁界を検出して該探索対象ケーブルの配線ルートを探していくためのケーブル探索装置であって、
運用中ケーブル（２）を介して送信および／または受信されている運用対象信号と混信しない探索用信号を前記探索対象ケーブルと該運用中ケーブルとの間に印加して前記探索用電流を該探索対象ケーブルに流すための信号発生装置（１０）と、
前記探索対象ケーブルを流れる前記探索用電流によって発生される磁界を検出するための磁界検出装置（２０）と、
を具備することを特徴とする、ケーブル探索装置。
【請求項８】
前記探索対象ケーブルおよび前記運用中ケーブルが通信ケーブルであり、
前記運用対象信号が音声信号である、
ことを特徴とする、請求項７記載のケーブル探索装置。
【発明の詳細な説明】
【技術分野】
【０００１】
本発明は、ケーブル探索方法およびケーブル探索装置に関し、特に、探索用電流を流すことによりケーブルから発生される磁界を検出しながらケーブルの配線ルートを探索するのに好適なケーブル探索方法およびケーブル探索装置に関する。
【背景技術】
【０００２】
たとえば工場や事務所内の線路には、ラックやダクトに収納された多数のケーブルが敷設されている。このようなケーブルは、時が経過するに伴って張替えや撤去の必要が生じる。このような場合に、ケーブル探索装置を用いて張替えや撤去の対象となるケーブル（以下、「探索対象ケーブル」と称する。）の配線ルートを探索することが行われる。
【０００３】
従来、この種のケーブル探索装置は、電源側の分電盤または負荷接続端子から探索用電流を探索対象ケーブルに入力するための信号発生装置と、探索対象ケーブルに入力された探索用電流が電磁誘導により発生する磁界を検出するための磁界検出装置とから構成されている。
【０００４】
探索対象ケーブルの配線ルートの探索は、作業者が信号発生装置から探索対象ケーブルに探索用電流を入力したのちに探索対象ケーブルから発生される磁界を磁界検出装置で検出しながら探索対象ケーブルの敷設経路を辿ることにより行われる。
【０００５】
たとえば、下記の特許文献１には、接地線に接続された各種装置に影響を与えずに正確に配線の電流ルートを探索するとともに、配線の電流ルートを探索する帰路を設けるための労力を低減するために、信号発生器からの正弦波信号を配線と接地端子との間に印加し、配線に流れる正弦波信号電流の大きさおよび位相を信号発生器からの正弦波信号をレファレンスとしたロックインアンプで検出し、正弦波信号電流の流れる経路を追跡する、配線の電流ルート探索方法が開示されている。
【０００６】
また、下記の特許文献２には、複数のケーブルの中から対象となるケーブルを確実に特定可能なケーブル探査機を実現するとともに、現場作業に適したサイズおよび取扱易さを実現するために、送信器が、複数の周波数の中から択一的に選択された周波数の信号を所定の変復調方式で変調したのち、変調した信号をケーブルに送信し、検出器が、ケーブルに生じる磁界から信号を検出し、送信器と同一の周波数に基づいて送信器と同一の変復調方式で復調し、検出器が、復調した信号に応じた報知を行うケーブル探査機が開示されている。
【特許文献１】特開平９−１０１３３５号公報
【特許文献２】特開２００３−１２１４２０号公報
【発明の開示】
【発明が解決しようとする課題】
【０００７】
しかしながら、上記の特許文献１に開示された配線の電流ルート探索方法では、配線と接地線との間に正弦波信号を印加する方式であるため、検出される磁界は配線からの距離に対する減衰が急峻でないため、磁界検出装置が探索対象ケーブルの配線ルートから外れても磁界が検出されるので、探索対象ケーブルの配線ルートの探索精度が悪くなるという問題がある。また、この配線の電流ルート探索方法では、探索対象ケーブルから発生される磁界の空間への輻射が大きいために、探索対象ケーブルの配線ルート付近に設置された電子機器に影響を与え易いという問題がある。
【０００８】
また、上記の特許文献２に開示されたケーブル探査機は、たとえば２心のケーブルの一端において心線間に探査信号を入力するとともにケーブルの他端において心線間を短絡することによりケーブルの探索を行うものであるので、空き心線が必要である。そのため、たとえば、運用中のツイストペア線が多数組み組み込まれたケーブルにおいて、運用を中止したツイストペア線を取り除くためにこのツイストペア線の配線ルートを探索しようとする場合に、ケーブル内の他のツイストペア線がすべて運用中であると、他のツイストペア線のいずれか１つの運用を停止しなければならないという問題がある。
【０００９】
本発明の目的は、輻射を低減することができるとともに、他のケーブルの運用を停止することなく探索対象ケーブルの配線ルートを探索することができるケーブル探索方法およびケーブル探索装置を提供することにある。
【課題を解決するための手段】
【００１０】
本発明のケーブル探索方法は、探索対象ケーブル（１）に探索用電流を流すことにより該探索対象ケーブルから発生される磁界を検出して該探索対象ケーブルの配線ルートを探していくためのケーブル探索方法であって、前記探索対象ケーブルと運用対象信号の送信および／または受信のために現在使用されている運用中ケーブル（２）との間に信号発生装置（１０）を接続し、該運用対象信号と混信しない探索用信号を該探索対象ケーブルと該運用中ケーブルとの間に印加して前記探索用電流を該探索対象ケーブルに流し、前記探索対象ケーブルを流れる前記探索用電流によって発生される磁界を磁界検出装置（２０）で検出していくことにより該探索対象ケーブルの配線ルートを探すことを特徴とする。
ここで、前記探索用信号が、前記運用対象信号に含まれていない周波数の単の正弦波信号であってもよい。
前記探索用信号が、前記運用対象信号に含まれていない周波数の正弦波信号を複数合成した合成波信号であってもよい。
前記探索用信号が、前記運用対象信号に含まれていない周波数を主周波数成分とするパルス信号であってもよい。
前記探索用信号が、前記運用対象信号に含まれていない周波数をそれぞれ主周波数成分とする、かつ、符号で変調された複数の正弦波信号であってもよい。
前記探索対象ケーブルおよび前記運用中ケーブルが通信ケーブルであり、前記運用対象信号が音声信号であってもよい。
本発明のケーブル探索装置は、探索対象ケーブル（１）に探索用電流を流すことにより該探索対象ケーブルから発生される磁界を検出して該探索対象ケーブルの配線ルートを探していくためのケーブル探索装置であって、該運用中ケーブル（２）を介して送信および／または受信されている運用対象信号と混信しない探索用信号を前記探索対象ケーブルと該運用中ケーブルとの間に印加して前記探索用電流を該探索対象ケーブルに流すための信号発生装置（１０）と、前記探索対象ケーブルを流れる前記探索用電流によって発生される磁界を検出するための磁界検出装置（２０）とを具備することを特徴とする。
ここで、前記探索対象ケーブルおよび前記運用中ケーブルが通信ケーブルであり、前記運用対象信号が音声信号であってもよい。
【発明の効果】
【００１１】
本発明のケーブル探索方法およびケーブル探索装置は、以下に示す効果を奏する。
（１）配線と接地線との間に正弦波信号を印加する方式に比べて探索対象ケーブルから発生される磁界の大きさ（レベル）を小さくすることができる（すなわち、輻射を低減することができる）ので、探索対象ケーブルの配線ルート付近に設置された電子機器に影響を大幅に低減することができる。
（２）配線と接地線との間に正弦波信号を印加する方式に比べて探索対象ケーブルから発生される磁界の水平距離および垂直距離に対する減衰を急峻にすることができるため、探索対象ケーブルから少しでも外れると磁界を検出することができなくなるので、探索対象ケーブルの配線ルートの探索精度を向上させることができる。
（３）運用中ケーブル（他のケーブル）を介して送信および／または受信されている運用対象信号と混信しない探索用信号を探索対象ケーブルと運用中ケーブルとの間に印加して探索用電流を探索対象ケーブルに流すため、運用中ケーブルの運用を停止することなく探索対象ケーブルの配線ルートを探索することができる。
【発明を実施するための最良の形態】
【００１２】
上記目的を、探索対象ケーブルと運用対象信号の送信および／または受信のために現在使用されている運用中ケーブルとの間に信号発生装置を接続し、運用対象信号と混信しない探索用信号を探索対象ケーブルと運用中ケーブルとの間に印加して探索対象ケーブルに探索用電流を流し、探索対象ケーブルを流れる探索用電流によって発生される磁界を磁界検出装置で検出していくことにより実現した。
【実施例】
【００１３】
以下、本発明の実施例によるケーブル探索方法およびケーブル探索装置について、図面を参照して説明する。
本発明の一実施例によるケーブル探索装置は、図１に示すように、探索用信号を探索対象ケーブル１と運用中ケーブル２との間に印加して探索用電流を探索対象ケーブル１に流すための信号発生装置１０と、探索対象ケーブル１を流れる探索用電流が電磁誘導により発生する磁界を検出するための磁界検出装置２０とから構成される。
ここで、探索用信号としては、たとえば運用中ケーブル２が周波数５０Ｈｚ〜３．４ｋＨｚの音声信号（運用対象信号）を中継装置と受話器との間で伝送するために使用中の通信ケーブルである場合には、この音声信号との混信を防止するために５０Ｈｚ〜３．４ｋＨｚ以外の周波数の単一正弦波信号を用いる。
【００１４】
次に、上記の特許文献１に開示された配線の電流ルート探索方法のように探索対象ケーブル１（配線）と接地線との間に正弦波信号を印加したときに探索対象ケーブル１から発生する磁界（以下、「１線式磁界Ｈ１」と称する。）と、本実施例によるケーブル探索装置のように探索用信号（単一正弦波信号）を探索対象ケーブル１と運用中ケーブル２との間に印加したときに探索対象ケーブル１から発生する磁界（以下、「２線式磁界Ｈ２」と称する。）との相違について、図２を参照して説明する。
【００１５】
（相違点１）
図２に示すように、探索対象ケーブル１と運用中ケーブル２との間の距離（以下、「ケーブル間距離」と称する。）を“Ｄ”とし、探索対象ケーブル１から発生する磁界を検出する地点（以下、「磁界検出地点」と称する。）を“Ｐ”とし、探索対象ケーブル１と磁界検出地点Ｐの距離（以下、「ケーブル・検出地点間距離」と称する。）を“ａ”（ただし、ａはＤよりもかなり大きいとする。）とし、探索対象ケーブル１および運用中ケーブル２を結ぶ線と運用中ケーブル２および磁界検出地点Ｐを結ぶ線とのなす角度を“θ”とすると、１線式磁界Ｈ１および２線式磁界Ｈ２の大きさは（１）式および（２）式でそれぞれ表わされる。
Ｈ１＝Ｉ／２πａ                              （１）
Ｈ２≒Ｉ／２πａ−Ｉ／２π（ａ＋Ｄｃｏｓθ）
≒ＩＤｃｏｓθ／２πａ2                    （２）
【００１６】
（１）式および（２）式より、１線式磁界Ｈ１と２線式磁界Ｈ２との比Ｈ２／Ｈ１は（３）式で表わされる。
Ｈ２／Ｈ１＝Ｄｃｏｓθ／ａ                    （３）
【００１７】
したがって、たとえば、ケーブル間距離Ｄ＝１０ｃｍとし、ケーブル・検出地点間距離ａ＝１ｍとし、角度θ＝０とすると、（３）式より比Ｈ２／Ｈ１＝１／１０となる。
その結果、磁界検出地点Ｐに電子機器が設置されていても、２線式磁界Ｈ２の大きさは１線式磁界Ｈ１の大きさの１／１０となるため、本実施例によるケーブル探索装置のように探索用信号を探索対象ケーブル１と運用中ケーブル２との間に印加することにより電子機器への影響を大幅に低減（２０ｄＢ）することができる。その結果、多様な種類の電子機器が配置される機械室などにおいても、探索対象ケーブル１の配線ルートの探索を電子機器に影響を与えることなく行うことができる
また、逆に言えば、電子機器と同一のノイズレベルとすると、振幅が１０倍（２０ｄＢ）ほど大きな探索用信号を入力することが可能となるので、電子機器への影響が問題とならない場所で探索対象ケーブル１の配線ルートを探索する場合には、安価でかつ感度が低い磁界検出装置２０を用いることが可能となる。
【００１８】
探索対象ケーブル１は運用を中止したケーブルであるため、信号発生装置１０が接続された端の反対側の端が開放端とされた探索対象ケーブル１の配線ルートを探索する場合がある。このような場合に探索対象ケーブル１から発生される磁界の磁束密度Ｂを計算すると、以下のように求められる。
【００１９】
探索対象ケーブル１の１ｍ当りのインダクタンスおよび容量を“Ｌ”および“Ｃ”とし、探索対象ケーブル１の直径を“ｄ”とすると、探索対象ケーブル１の線路インピーダンスＺ0は、（４）式で表される。
Ｚ0＝（Ｌ／Ｃ）1/2
＝１２０×ｌｏｇe（２Ｄ／ｄ）
＝２７６×ｌｏｇ10（２Ｄ／ｄ）          （４）
したがって、ケーブル間距離Ｄ＝１ｍおよび直径ｄ＝１ｍｍとすると、線路インピーダンスＺ0の値は、
Ｚ0＝２７６×ｌｏｇ10｛（２×１）／（１×１０-3）｝
＝２７６×ｌｏｇ10（２０００）
＝２７６×３．３
＝９１０  （Ω）
となる。
【００２０】
探索用信号の電圧Ｖ＝１００ボルトおよび探索用信号の周波数ｆ＝１０ｋＨｚとすると、信号発生装置１０からの距離ｌ＝１００ｍにおける電流Ｉは、
Ｉ＝０．０２×Ｖ／Ｚ0
＝０．０２×１００／９１０
＝０．２２  （アンペア）
となるので、信号発生装置１０からの距離ｌ＝１００ｍにおける磁束密度Ｂは、ケーブル・検出地点間距離ａ＝１ｍおよびμ0＝４π×１０-7（Ｈ／ｍ）とすると、
Ｂ＝μ0×Ｉ／２πａ
＝４π×１０-7×０．２２／（２π×１）
＝４．４×１０-10
≒０．５  （ｎＴ）
となる。
【００２１】
したがって、反対側の端が開放端とされた探索対象ケーブル１であっても、磁束密度Ｂが０．５ｎＴ（線路インピーダンスＺ0で終端した場合の１／５０程度）の磁界が探索対象ケーブル１から発生されるので、磁界検出装置２０として市販のＦＭ型磁界測定器を用いてこの磁界を検出することにより探索対象ケーブル１の配線ルートを探索することができる。
【００２２】
（相違点２）
図３に、ケーブル・検出地点間距離ａを変えたときの（１）式で表される１線式磁界Ｈ１および（２）式で表される２線式磁界Ｈ２の磁界特性の一例を示す。図３に示すように、２線式磁界Ｈ２は、１線式磁界Ｈ１に比べて、ケーブル・検出地点間距離ａが大きくなるほど急峻に減衰する。
したがって、２線式磁界Ｈ２を使用することにより、探索対象ケーブル１から発生される磁界の水平距離および垂直距離に対する減衰を急峻にすることができるため、探索対象ケーブル１から少しでも外れると磁界を検出することができなくなるので、１線式磁界Ｈ１に比べて、探索対象ケーブル１の配線ルートの探索精度を向上させることができる。
特に、たとえば床下やダクト内のように、磁界検出装置２０を探索対象ケーブル１に一定距離以上近接して配置することが困難な場合には、２線式磁界Ｈ２の方が１線式磁界Ｈ１よりも有効である。
【００２３】
表１および表２に、探索対象ケーブル１および運用中ケーブル２を結ぶ線と運用中ケーブル２および磁界検出地点Ｐを結ぶ線とのなす角度θが３０°および４５°のときの１線式磁界Ｈ１および２線式磁界Ｈ２の距離感度の一例を示す。表１から検索対象ケーブル１からの水平距離に対して、また、表１および表２から検索対象ケーブル１からの垂直距離に対して、２線式磁界H2は１線式磁界H１に比べて約２倍ほど有利なことが分かる。
【表１】
2008076128.tif 000003
【００２４】
次に、本実施例によるケーブル探索装置を用いて探索対象ケーブル１の配線ルートを探索する方法（本発明の一実施例によるケーブル探索方法）について説明する。
作業員は、信号発生装置１０を探索対象ケーブル１と運用中ケーブル２との間に接続して、探索用信号を探索対象ケーブル１と運用中ケーブル２との間に印加する。これにより、探索用電流が探索対象ケーブル１に流れる。
このとき、運用中ケーブル２にも電流が流れるが、探索用信号は運用対象信号（たとえば、周波数５０Ｈｚ〜３．４ｋＨｚの音声信号）に含まれていない周波数の単一正弦波信号であるため、中継装置および受話器においてこの電流をフィルタによって完全に除去することができるので、運用中ケーブル２の運用を停止する必要はない。
【００２５】
その後、作業員は、探索対象ケーブル１から発生される磁界（２線式磁界Ｈ２）を磁界検出装置２０で検出しながら探索対象ケーブル１の敷設経路を辿ることにより、探索対象ケーブル１の配線ルートを探していく。
【００２６】
以上の説明においては、探索用信号として単一正弦波信号を用いたが、音声信号に含まれていない周波数（４ｋＨｚよりも大きい周波数）の正弦波信号を複数合成した合成波信号を用いてもよい。これにより、合成波信号のある周波数の正弦波信号が外部雑音や線路特性の影響を受けても、他の周波数の正弦波信号によって探索対象ケーブル１から発生される磁界を検出することにより探索対象ケーブル１の配線ルートの探索が可能となる。
また、探索用信号として、音声信号に含まれていない周波数を主周波数成分とするパルス信号を用いてもよい。これにより、パルス信号には多数の周波数成分が含まれているため、磁界検出装置２０を用いて検出した磁界のパルス周期を求めれば、外部雑音や線路特性の影響を受けにくくすることができるとともに、磁界検出装置２０を用いて検出した磁界のパルスのひずみ具合から探索対象ケーブル１と磁界検出装置２０との距離が分かる。
さらに、探索用信号として、音声信号に含まれていない周波数をそれぞれ主周波数成分とするかつ符号で変調された複数の正弦波信号を用いてもよい。これにより、外部雑音や線路特性の影響を更に受けにくくすることができる。
【００２７】
磁界検出装置２０としては、ループ型コイルを使用した磁界検出装置でもよいし、検索対象ケーブル１を貫通させるために開閉可能なロゴスキーコイルを使用した磁界検出装置でもよい。
【００２８】
検索対象ケーブル１は、音声信号送受信用に一般に使用されているツイストペア線であってもよいし、同軸ケーブルなどであってもよい。
【００２９】
次に、図４に示すように中継装置１１０と第１乃至第Ｎの受話器１２０1〜１２０Nとの間で音声信号の送受信を行っている音声信号通信システム１００において、図１に示した信号発生装置１０および磁界検出装置２０を用いて第１乃至第Ｎのツイストペア線６1〜６Nのうちの第１のツイストペア線６1の配線ルート探索する方法について説明する。
なお、第１乃至第Ｎのツイストペア線６1〜６Nは、端子台１３０に設けられた第１乃至第Ｎの端子１３１1〜１３１Nを介して中継装置１１０と接続されている。また、第１乃至第４のツイストペア線６1〜６4は、第１のケーブル５1に纏められて配線されたのちに、第１乃至第４の受話器１２０1〜１２０4に配線されている。さらに、第１および第２の受話器１２０1〜１２０2は近接した位置に設置されている。
【００３０】
作業員は、第１の受話器１２０1が使用されなくなり運用中止とされた第１のツイストペア線６1を取り除くために第１のツイストペア線６1の配線ルートを探索する場合には、第１のツイストペア線６1を検索対象ケーブルとするとともに、第１の受話器１２０1の近接に設置された第２の受話器１２０2（第１乃至第４の受話器１２０1〜１２０4の設置位置は既知である。）が接続された第２のツイストペア線６2を運用中ケーブルとする。この際、第１の受話器１２０1は、第１のツイストペア線６1から外してもよし外さなくてもよい。
【００３１】
その後、作業員は、検索対象ケーブルとした第１のツイストペア線６1が接続された端子台１３０の第１の端子１３１1と運用中ケーブルとした第２のツイストペア線６2が接続された端子台１３０の第２の端子１３１2との間に信号発生装置１０を接続して、探索用信号を第１のツイストペア線６1（探索対象ケーブル）と第２のツイストペア線６2（運用中ケーブル）との間に印加する。これにより、探索用電流が第１のツイストペア線６1に流れる。
【００３２】
その後、作業員は、図４に破線の矢印で示すように、第１のツイストペア線６1から発生される磁界を磁界検出装置２０で検出していくことにより、第１のツイストペア線６1の配線ルートを探していく。この間、第２のツイストペア線６2にも電流が流れるが、この電流は中継装置１１０と第２の受話器１２０2においてフィルタで完全に除去することができるので、中継装置１１０と第２の受話器１２０2との間の音声信号の送受信は第２のツイストペア線６2を介して正常に行われる。
【００３３】
次に、探索用信号の生成方法の一例について、図５を参照して説明する。
信号発生装置１０では、図５（ａ）に示すように、原信号は、同期制御部２１１で同期制御されたのち、冗長ビット付加部２１２で冗長ビットが付加される。ここで、冗長ビットは、たとえば、１ビットの誤り訂正と２ビット以上の誤り検出ができる汎用的に利用されているハミング方式の巡回冗長検査（CRC：Cyclic Redundancy Check）用のものを利用することができる。
冗長ビットが付加された原信号は、座標エンコーダ２１３で座標エンコード処理がなされたのち、パラレルシリアルバッファ２１４を介してＰＳＫ／ＱＡＭ変調部２１５でＰＳＫ／ＱＡＭ変調処理がなされることにより、探索用信号に変換される。ここで、ＰＳＫ／ＱＡＭ変調処理としては、汎用的に使用されているＢＰＳＫ（Binary Phase Shift Keying）、ＱＰＳＫ（Quadrature Phase Shift Keying）や１６ＱＡＭ（Quadrature Amplitude Modulation）〜２５６ＱＡＭなどを利用することができる。
探索用信号は、出力増幅器２１６で増幅されたのち、信号発生装置１０から出力される。
【００３４】
この探索用信号を用いる場合には、磁界検出装置２０では、図５（ｂ）に示すように、検出した磁界によって表わされる探索用信号は、入力増幅器２２１で増幅されたのち、ＰＳＫ／ＱＡＭ復調部２２２に入力される。探索用信号は、ＰＳＫ／ＱＡＭ復調部２２２でＰＳＫ／ＱＡＭ復調処理がなされたのち、シリアルパラレルバッファ２２３を介して座標デコーダ２２４に入力される。探索用信号は、座標デコーダ２２４で座標デコード処理がなされたのち、冗長ビット解除部２２５に入力される。探索用信号は、冗長ビット解除部２２５で冗長ビットが取り除かれたのち、同期制御部２２６で同期制御されることにより原信号に変換される。
【００３５】
なお、信号発生装置１０および磁界検出装置２０は、図５（ａ），（ｂ）に示すような専用回路を備えてもよいが、汎用品の電力線搬送通信（ＰＬＣ：Power Line Communications）用回路を備えてもよい。
また、探索用信号には特に制限はないため、ケーブルや端末の情報を探索用信号に載せたり、探索対象ケーブルの配線ルートを複数の作業員で探査する場合には電話などのお互いの連絡用情報を探索用信号に載せたりしてもよい。このとき、多くの情報を探索用信号に載せる場合には、無線ＬＡＮ（Local Area Network）、ＡＤＳＬ（Asymmetric Digital Subscriber Line）およびＰＬＣに用いられている直交周波数分割多重方式（ＯＦＤＭ：Orthogonal Frequency Division Multiplexing）を利用してもよい。
【図面の簡単な説明】
【００３６】
【図１】本発明の一実施例によるケーブル探索装置の構成について説明するための図である。
【図２】１線式磁界Ｈ１と２線式磁界Ｈ２との相違について説明するための図である。
【図３】ケーブル・検出地点間距離ａを変えたときの１線式磁界Ｈ１および２線式磁界Ｈ２の磁界特性の一例を示すグラフである。
【図４】第１乃至第Ｎのツイストペア線１０１1〜１０１Nを含むケーブル５を介して中継装置１１０と第１乃至第Ｎの受話器１２０1〜１２０Nとの間で音声信号の送受信を行っている音声信号通信システム１００において図１に示した信号発生装置１０および磁界検出装置２０を用いて本発明のケーブル探索方法に従って第１のツイストペア線１０１1の配線ルートを探索する方法について説明するための図である。
【図５】探索用信号の生成方法の一例を示すための図である。
【符号の説明】
【００３７】
１  探索対象ケーブル
２  運用中ケーブル
５1〜５M  第１乃至第Ｍのケーブル
６1〜６N  第１乃至第Ｎのツイストペア線
１０  信号発生装置
２０  磁界検出装置
１００  音声信号通信システム
１１０  中継装置
１２０1〜１２０N  第１乃至第Ｎの受話器
１３０  端子台
１３１1〜１３１N  第１乃至第Ｎの端子
２１１，２２６  同期制御部
２１２  冗長ビット付加部
２１３  座標エンコーダ
２１４  パラレルシリアルバッファ
２１５  ＰＳＫ／ＱＡＭ変調部
２１６  出力増幅部
２２１  入力増幅部
２２２  ＰＳＫ／ＱＡＭ復調部
２２３  シリアルパラレルバッファ
２２４  座標デコーダ
２２５  冗長ビット解除部
【図１】
2008076128.tif 000004
【図２】
2008076128.tif 000005
【図３】
2008076128.tif 000006
【図４】
2008076128.tif 000007
【図５】
2008076128.tif 000008